(57)【要約】【課題】調整可能なブラジャーの補助チューブ構造を提供する。【解決手段】  2個のチューブ体１００は薄シリコンゴム片を熱融により一体に結合し構成し、かつ該2個のチューブ体１００間には連結片１１を設置し、連通道１１０を形成する。該連通道１１０により該2個のチューブ体１００中に充填する空気或いは液体は相互に流通する。こうして、使用者は異なるサイズの左右乳房に応じて該2個のチューブ体の充填量を調整し、左右乳房のサイズ外観を便利かつ任意に調整可能である。【選択図】  図５
0003107575.tif 000002
【実用新案登録請求の範囲】
【請求項１】
2個の対応形状の薄シリコンゴム片を含み、
該2個のシリコンゴム片は熱融合し、かつ周辺には融合線を具え、その他の部位は融合せず、
該2個のシリコンゴム片は両端の面積が大きく、該2個の大面積間には一体の連結片を設置し、該2個のシリコンゴム片を結合後は連結し一体を形成し、連通道を具えた双チューブ体を形成し、該双チューブ体中に充填する空気或いは液体は該連通道を通じて相互に連通し、
こうして該2個のチューブ体の密封状態は任意に調整可能で、該2個のチューブ体を同一の体積、或いは異なる体積とする効果を達成することを特徴とする調整可能なブラジャーの補助チューブ構造。
【請求項２】
前記2個のチューブ体のサイズを調整後、弾性挟バーを用い連通道を封鎖し、前記2個のチューブ体の定型定量効果を達成することを特徴とする請求項１記載の調整可能なブラジャーの補助チューブ構造。
【請求項３】
前記2個のチューブ体の設定位置に数本の融合線を設置可能であることを特徴とする請求項１記載の調整可能なブラジャーの補助チューブ構造。
【請求項４】
前記2個のチューブ体は分離状に設定し、前記2個のチューブ体の対応端には連通道を設置し、通孔、ジョイントヘッドを具え、制御栓の制御バルブは前記2個のチューブ体の連通道に接続し、該制御栓は回すことができ、前記2個のチューブ体の連通道は該ジョイントヘッド通孔により相互に通じ、また通孔を封鎖可能で、前記2個のチューブ体内の充填水或いは空気は連通しサイズ設定の効果を達成することを特徴とする請求項１記載の調整可能なブラジャーの補助チューブ構造。
【考案の詳細な説明】
【技術分野】
【０００１】
本考案は一種の調整可能なブラジャーの補助チューブ構造に関する。特に一種の薄いシリコンゴム片により構成する2個のチューブ体は一体成型で、相互に通じる連通道を具え、使用者は任意に2個のチューブ体中の充填空気或いは液体の充填量を調整可能で、異なるサイズの乳房を同一サイズに調整でき、2個のチューブ体間の連通道は、2個のチューブ体を必要とするサイズ体積（充填量）に調整後、弾性挟バー或いは制御バルブにより封鎖され、定型定量の効果を達成する調整可能なブラジャーの補助チューブ構造に係る。
【背景技術】
【０００２】
サイズを調整可能なブラジャー構造は図１に示すように、本体1、正面飾層2をミシン縫いする時に挟み設置されるチューブ体3により構成する。該チューブ体3中には空気、或いは水を充填し、該チューブ体 3の補助により乳房の外観を豊満にする効果を達成する。
公知のチューブ体構造には、「固定体積」式（図１参照）と「サイズ体積を調整可能」式（図２参照）の2種がある。
図１に示す構造は2個の独立チューブ体 3を密封し、内部に空気或いは水を充填し、或いは実心のシリコンゴムとするが、該構造は「サイズを変化させることができない」という欠点がある。
一方、図2に示す構造はチューブ体4を中空とし、充填部5を具え、空気、或いは水を注入し、必要なサイズに応じて異なる量を充填することができる。しかし、やはり一々それぞれに充填しなければならないため面倒であり、また充填部5の縫隙或いは細孔を完全になくすことはできないため、封鎖しても、大きな圧力（揉む、つねる）がかかれば、漏れが発生する恐れがあるなど、欠点が存在する。
【特許文献１】特開２００３−３２８２０９号公報
【考案の開示】
【考案が解決しようとする課題】
【０００３】
公知構造には以下の欠点があった。
サイズを調整可能なブラジャー構造はチューブ体を設置し、該チューブ体中には空気、或いは水を充填し、該チューブ体の補助により乳房の外観を豊満にするが、公知のチューブ体構造は、「固定体積」式はサイズを調整することができず、「サイズ体積を調整可能」式は一々それぞれに充填しなければならないため面倒で、また圧力により充填部の縫隙或いは細孔からの漏れが発生する恐れがある。
本考案は上記構造の問題点を解決した調整可能なブラジャーの補助チューブ構造を提供するものである。
【課題を解決するための手段】
【０００４】
上記課題を解決するため、本考案は下記の調整可能なブラジャーの補助チューブ構造を提供する。
それは主に図３、４、５に示すように、2個の対応形状の薄シリコンゴム片を含み、
該2個のシリコンゴム片は熱融合し、かつ周辺には融合線を具え、その他の部位は融
合せず、
該2個のシリコンゴム片は両端の面積が大きく、該2個の大面積部分間には一体の連結片を形成し、
これにより、該2個のシリコンゴム片を結合後、一体に連結し、連通道を具えた双チューブ体を形成し、該双チューブ体中に充填する空気或いは液体は該連通道により相互に連通することを特徴とする調整可能なブラジャーの補助チューブ構造である。
すなわち本考案の調整可能なブラジャーの補助チューブ構造は、請求項１に記載するように、2個の対応形状の薄シリコンゴム片を含み、
該2個のシリコンゴム片は熱融合し、かつ周辺には融合線を具え、その他の部位は融合せず、
該2個のシリコンゴム片は両端の面積が大きく、該2個の大面積間には一体の連結片を設置し、該2個のシリコンゴム片を結合後は連結し一体を形成し、連通道を具えた双チューブ体を形成し、該双チューブ体中に充填する空気或いは液体は該連通道を通じて相互に連通し、
こうして該2個のチューブ体の密封状態は任意に調整可能で、該2個のチューブ体を同一の体積、或いは異なる体積とする効果を達成することを特徴とする。
請求項２に記載するように、前記2個のチューブ体のサイズを調整後、弾性挟バーを用い連通道を封鎖し、前記2個のチューブ体の定型定量効果を達成することが好ましい。
請求項３に記載するように、前記2個のチューブ体の設定位置に数本の融合線を設置可能であることが好ましい。
請求項４に記載するように、前記2個のチューブ体は分離状に設定し、前記2個のチューブ体の対応端には連通道を設置し、通孔、ジョイントヘッドを具え、制御栓の制御バルブは前記2個のチューブ体の連通道に接続し、該制御栓は回すことができ、前記2個のチューブ体の連通道は該ジョイントヘッド通孔により相互に通じ、また通孔を封鎖可能で、前記2個のチューブ体内の充填水或いは空気は連通しサイズ設定の効果を達成することが好ましい。
【考案の効果】
【０００５】
上記のように、本考案は使用法が簡単、便利、迅速で、水（或いは空気）をチューブ体中に完全に密封可能である。さらに、充填部を具えないため、圧力による漏れの恐れがない。加えて、水と空気が接触することがない（水と空気が接触すると、空気中の細菌により水質が変化する）ため、悪臭が発生する恐れもない。
【考案を実施するための最良の形態】
【０００６】
本考案は主に図３、４、５に示すように、2個の対応形状の薄シリコンゴム片10を含む。
該2個のシリコンゴム片10は熱融合し、かつ周辺には融合線12を具え、その他の部位は融合しない。該2個のシリコンゴム片10は両端の面積が大きく、該2個の大面積部分間には一体の連結片11を形成する。これにより、該2個のシリコンゴム片10を結合後、一体に連結し、連通道110を具えた双チューブ体100を形成し、該双チューブ体100中に充填する空気或いは液体は該連通道110により相互に連通する。
該2個のシリコンゴム片10は熱融機或いは高週波機、超音波機により周辺を融結合し、小開口を残す。該小開口は設定量の水或いは空気を充填後、完全に封鎖し、弧状突形状の立体双チューブ体100を形成する。該立体双チューブ体100を形成後、ミシンによりブラジャー本体1を縫製し、飾片層に設置する。
【０００７】
2個の乳房が同じサイズである人が使用する時には、該2個のチューブ体 100中の充填水（或いは空気）量は平衡状態を呈し、該2個のチューブ体は同じ大きさとし、調整する必要はない。
2個の乳房のサイズが異なる人が使用する時には、例えば左の乳房が右の乳房より大きい時には、該左チューブ体100中の水（或いは空気）の部分量（調整しようとするサイズに応じて）を押し、該連通道110を通じて該右チューブ体100中に流れ込ませる。すなわち、該左チューブ体100の体積を該右チューブ体100より小さくし、該右チューブ体100は右の乳房の外観を増大させ、左、右乳房の外観を同一サイズとする。さらに、サイズを適当に調整後、図９に示す弾性挟バー15により該連通道110を挟み封鎖し、該左、右チューブ体100中の水（或いは空気）の流通を防止し、定量、定型の効果を達成する。
【０００８】
さらに本考案の別種の実施例では図６、７に示すように、融合線13、14を設置し、各部位の充填量を設定することができる。図６は上方に数本の斜融合線13を設置し、下方及び外側周囲における充填量を多くし、内側（中心）に向かい乳房をアップさせる効果を達成する。図７は上方に数本の弧状平行線を間隔を開けて設置し、該融合線14により上方における水の充填量を少なく、下方は多くし、高く盛り上がった乳房の外観を形成する
また図９に示す実施例では、2個の分離チューブ体100を設置する。該2個のチューブ体100の対応端には連通道110を設置し、通孔21、ジョイントヘッド20を具える。制御栓22の制御バルブは該2個のチューブ体100の連通道110に接続し、該制御栓22は回すことができるため、該2個のチューブ体100の連通道110は該ジョイントヘッド20の通孔21により相互に通じ、また該通孔21を封鎖し、該2個のチューブ体100内の充填水或いは空気を連通させサイズを設定することができる。
【図面の簡単な説明】
【０００９】
【図１】ブラジャー全体の分解及び公知のサイズ調整不能チューブ体の指示図である。
【図２】公知のサイズ調整可能チューブ体構造の指示図である。
【図３】本考案の立体分解図である。
【図４】本考案を組合せた完成品の立体図である。
【図５】本考案をブラジャーに配置する指示図である。
【図６】本考案に斜状補助区隔融合線を設置する実施例図である。
【図７】本考案に平行状補助区隔融合線を設置する実施例図である。
【図８】本考案の挟バーにより定量化する実施例の俯瞰断面図である。
【図９】本考案の制御バルブにより定量化する実施例の俯瞰断面図である。
【符号の説明】
【００１０】
１  本体
１０  シリコンゴム片
１００  チューブ体
１１０  連通道
１１  連結片
１２  融合線
１３  融合線
１４  融合線
１５  挟バー
２  飾層
２０  ジョイントヘッド
２１  通孔
２２  制御栓
３  チューブ体
４  チューブ体
５  充填部
【図１】
0003107575.tif 000003
【図２】
0003107575.tif 000004
【図３】
0003107575.tif 000005
【図４】
0003107575.tif 000006
【図５】
0003107575.tif 000007
【図６】
0003107575.tif 000008
【図７】
0003107575.tif 000009
【図８】
0003107575.tif 000010
【図９】
0003107575.tif 000011